(57)【特許請求の範囲】
【請求項１】
燃料電池スタックと、この燃料電池スタックに水を供給する燃料電池水循環系と、陽極と陰極及びこれら両極間に直流電圧を印加する直流電圧源を備え水供給源から供給される水を電解処理し、この電解処理により陽極で生成される陽極電解水の金属イオンを低減させるとともにプロトン濃度を増加させる電解水装置と、この電解水装置の陽極で生成された電解水を前記燃料電池水循環系に供給する陽極電解水供給系とを備えたことを特徴とする燃料電池発電システム。
【請求項２】
燃料電池スタックと、この燃料電池スタックに水を供給する燃料電池水循環系と、この燃料電池水循環系に設けられたイオン交換器と、陽極と陰極及びこれら両極間に直流電圧を印加する直流電圧源を備え水供給源から供給される水を電解処理し、この電解処理により陽極で生成される陽極電解水の金属イオンを低減させるとともにプロトン濃度を増加させる電解水装置と、前記電解水装置の陽極で生成されたプロトン濃度が高い陽極電解水を前記イオン交換器に給水することにより、前記イオン交換器に含まれる金属イオンをプロトンで再置換させ、当該金属イオンを前記イオン交換器から除去させる陽極電解水供給系と、前記イオン交換器から除去された金属イオンを含む水を、切換バルブにより流路を前記燃料電池水循環系から当該水の排出口側に切換えることにより、その排出口から系外に排出させる陽極電解水排出系とを備えたことを特徴とする燃料電池発電システム。
【請求項３】
前記水供給源から前記電解水装置に繋がる水供給系に逆浸透膜器を配置したことを特徴とする請求項１又は請求項２に記載の燃料電池発電システム。
【請求項４】
燃料電池スタックと、この燃料電池スタックに水を供給する燃料電池水循環系と、上水供給系と、陽極と陰極及びこれら両極間に直流電圧を印加する直流電圧源を備え前記上水供給系より供給される上水を電解処理する電解水装置と、この電解水装置の陰極で生成された電解水を飲料水系統に供給する陰極電解水供給系と、前記電解水装置の陽極で生成された電解水を前記燃料電池水循環系に供給する陽極電解水供給系とを備えたことを特徴とする燃料電池発電システム。
【請求項５】
前記上水供給系から前記電解水装置に繋がる水供給系に逆浸透膜器を配置したことを特徴とする請求項４に記載の燃料電池発電システム。
【請求項６】
前記電解水装置へ印加する直流電圧源として、燃料電池から出力された直流電力を用いることを特徴とする請求項１乃至請求項５のいずれかに記載の燃料電池発電システム。
【請求項７】
前記電解水装置の陽極で生成された電解水を予め定められた間隔で前記燃料電池水循環系に供給することを特徴とする請求項１乃至請求項６のいずれかに記載の燃料電池発電システムの運転方法。
【請求項８】
前記燃料電池発電システムから出力される電力が電力需要よりも過剰なときに、前記燃料電池から出力された直流電力を前記電解水装置に印加することを特徴とする請求項６記載の燃料電池発電システムの運転方法。
【発明の詳細な説明】
【技術分野】
【０００１】
本発明は、固体高分子形燃料電池を用いて発電を行う燃料電池発電システム及びその運転方法に関する。
【背景技術】
【０００２】
燃料電池発電システムは、水素等の燃料と空気等の酸化剤を燃料電池本体に供給して、電気化学的に反応させることにより、燃料の持つ化学エネルギーを直接電気エネルギーに変換して外部へ取り出す発電装置である。
【０００３】
この燃料電池発電システムは、比較的小型であるにもかかわらず高効率で、環境性に優れているという特徴があり、また、発電に伴う発熱を温水や蒸気として回収することにより、コージェネレーションシステムとしての適用が可能である。
【０００４】
ところで、燃料電池本体は電解質の違い等により様々なタイプのものに分類されるが、電解質に固体高分子電解質膜を用いた固体高分子形燃料電池は、低温動作性や高出力密度等の特徴があることから、一般家庭用を視野に入れた小型コージェネレーションシステムや電気自動車用の動力源としての用途に適しており、今後、市場規模が急激に拡大することが予想されている。
【０００５】
この固体高分子形燃料電池において、固体高分子電解質膜として、例えばフッ素系イオン交換膜が用いられている。これらの膜は分子中にプロトン交換基を持ち、含水することによりプロトン伝導性を示し、電解質として機能する。したがって、電池の含水量が少ないと固体高分子電解質膜のプロトン伝導度が低下し、電池性能が低下する。そのため、燃料電池に供給する反応ガスを予め加湿器を通し、加湿して燃料電池に供給する外部加湿方式や、燃料電池に反応ガスと共に直接、加湿水を供給する内部加湿方式等によって、燃料電池電極反応部に水蒸気または水を供給し、固体高分子電解質膜の含水量を適正な範囲に保持させる必要がある。
【０００６】
一方、燃料電池の発電に伴う反応は発熱反応であるため、燃料電池スタックに冷却板を挿入して冷却水の顕熱で冷却する方法や、内部加湿方式において反応ガスと共に供給された加湿水の蒸発潜熱で冷却する方法等によって、燃料電池を適正な温度領域に制御している。
【０００７】
上述のように燃料電池スタックには冷却水や加湿水を供給する必要があるが、外部からの補給水を最小限にするために、燃料電池スタックから排出された水を燃料電池スタックに循環させて供給する水循環系を設けている。しかし、この水循環系には、金属材料の腐食等により金属イオン等の不純物が混入する環境にある。
【０００８】
また、内部加湿方式では、水循環系に混入した金属イオンが加湿水に混入して電池本体に供給されると、電池を構成する電解質膜や電極触媒中に存在するプロトン交換基が金属イオンで置換され、電池電圧が低下する。
【０００９】
さらに、内部加湿方式、外部加湿方式に共通した課題として、燃料電池に起電力が発生している際に、金属イオン等の混入により燃料電池スタックを貫通する冷却水の電気伝導度が増加すると、燃料電池スタックの絶縁が破壊され、冷却水を介した地絡や、燃料電池スタック構成材料の腐食等が生じるという問題も生じる。
【００１０】
したがって、燃料電池発電システムの水循環系の水質管理は、燃料電池の性能や安全性を維持する上で重要な課題となっている。
【００１１】
そこで、現状では燃料電池の水循環系にイオン交換樹脂を配置し、水質を管理する方法が広く用いられている。（例えば、公知文献１）
図９は、かかる従来の燃料電池発電システムの一例を示す構成図である。
【００１２】
この燃料電池発電システムは、図９に示すように燃料電池スタック１と、燃料電池スタック１を貫通するように冷却水または加湿水が循環する燃料電池水循環系２とからなり、燃料電池水循環系２には、水タンク３、水ポンプ４、イオン交換樹脂５及び燃料電池の発熱を回収する熱交換器６が配置されている。また、水タンク３には水供給バルブ８を介して水供給源７が接続され、水供給バルブ８の開閉によって随時水を補給できる構成となっている。そして、過剰な水は水タンク３に設けられたオートドレン９から排出される。
【特許文献１】特開２００２−１４１０９５
【発明の開示】
【発明が解決しようとする課題】
【００１３】
このように従来のイオン交換樹脂を用いた水質管理方法は、簡素な構成で不純物イオンを許容値以下に低減できる利点がある反面、樹脂の寿命が短いことから、頻繁にイオン交換樹脂を交換する必要が生じ、運用管理上の大きな不都合が生じていた。また、イオン交換樹脂そのものや交換作業に費用が発生するため、特に一般家庭用を視野に入れた小型コージェネレーションシステム等では事実上金属イオンを常時許容値以下に維持することは困難である。
【００１４】
本発明は上記課題を解決するためになされたものであり、長期に亘り水循環系の不純物イオンを許容値以下に保持可能な水質管理を行うことができる燃料電池発電システム及びその運転方法を提供することを目的とする。
【課題を解決するための手段】
【００１５】
請求項１に対応する発明は、燃料電池スタックと、この燃料電池スタックに水を供給する燃料電池水循環系と、陽極と陰極及びこれら両極間に直流電圧を印加する直流電圧源を備え水供給源から供給される水を電解処理し、この電解処理により陽極で生成される陽極電解水の金属イオンを低減させるとともにプロトン濃度を増加させる電解水装置と、この電解水装置の陽極で生成された電解水を前記燃料電池水循環系に供給する陽極電解水供給系とを備える。
【００１６】
請求項２に対応する発明は、燃料電池スタックと、この燃料電池スタックに水を供給する燃料電池水循環系と、この燃料電池水循環系に設けられたイオン交換器と、陽極と陰極及びこれら両極間に直流電圧を印加する直流電圧源を備え水供給源から供給される水を電解処理し、この電解処理により陽極で生成される陽極電解水の金属イオンを低減させるとともにプロトン濃度を増加させる電解水装置と、前記電解水装置の陽極で生成されたプロトン濃度が高い陽極電解水を前記イオン交換器に給水することにより、前記イオン交換器に含まれる金属イオンをプロトンで再置換させ、当該金属イオンを前記イオン交換器から除去させる陽極電解水供給系と、前記イオン交換器から除去された金属イオンを含む水を、切換バルブにより流路を前記燃料電池水循環系から当該水の排出口側に切換えることにより、その排出口から系外に排出させる陽極電解水排出系とを備える。
【００１７】
請求項３に対応する発明は、請求項１又は請求項２に対応する発明の燃料電池発電システムにおいて、前記水供給源から前記電解水装置に繋がる水供給系に逆浸透膜器を配置する。
【００１８】
請求項４に対応する発明は、燃料電池スタックと、この燃料電池スタックに水を供給する燃料電池水循環系と、上水供給系と、陽極と陰極及びこれら両極間に直流電圧を印加する直流電圧源を備え前記上水供給系より供給される上水を電解処理する電解水装置と、この電解水装置の陰極で生成された電解水を飲料水系統に供給する陰極電解水供給系と、前記電解水装置の陽極で生成された電解水を前記燃料電池水循環系に供給する陽極電解水供給系とを備える。
【００１９】
請求項５に対応する発明は、請求項４に対応する発明の燃料電池発電システムにおいて、前記上水供給系から前記電解水装置に繋がる水供給系に逆浸透膜器を配置する。
【００２０】
請求項６に対応する発明は、請求項１乃至請求項５のいずれかに対応する発明の燃料電池発電システムにおいて、前記電解水装置へ印加する直流電圧源として、燃料電池から出力された直流電力を用いる。
【００２１】
請求項７に対応する発明は、請求項１乃至請求項６のいずれかに対応する発明の燃料電池発電システムの運転方法において、前記電解水装置の陽極で生成された電解水を予め定められた間隔で前記燃料電池水循環系に供給する。
【００２３】
請求項８に対応する発明は、請求項６に対応する発明の燃料電池発電システムの運転方法において、前記燃料電池発電システムから出力される電力が電力需要よりも過剰なときに、前記燃料電池から出力された直流電力を前記電解水装置に印加する。
【発明の効果】
【００２４】
本発明は、長期に亘り水循環系の不純物イオンを許容値以下に保持可能な水質管理を行うことができる。
【発明を実施するための最良の形態】
【００２５】
以下本発明の実施形態について図面を参照して説明する。
【００２６】
図１は、本発明による燃料電池発電システムの第１の実施形態を示す構成図で、図９と同一部品には同一符号を付して示す。
【００２７】
図１に示すように、燃料電池スタック１と、燃料電池スタック１を貫通するように冷却水または加湿水が循環する燃料電池水循環系２とからなり、燃料電池水循環系２には、水タンク３、水ポンプ４、イオン交換器５及び燃料電池の発熱を回収する熱交換器６が配置されている。
【００２８】
また、水タンク３には陽極電解水供給配管１０を介して電解水装置１２が接続されるとともに、陽極電解水供給配管１０に陽極電解水供給バルブ１１が設けられている。
【００２９】
この電解水装置１２は、陽極１２ａと陰極１２ｂ及びこれら両極間に設けられた直流電源１３を備え、直流電圧の印加により水供給源７より供給される水を電解処理する機能を有している。
【００３０】
なお、水タンク３にはオートドレン９が設けられ、このオートドレン９より過剰な水が排出される。
【００３１】
次に上記のように構成された燃料電池発電システムの作用を述べる。
【００３２】
水供給源７から電解水装置１２へ供給された水は、電解水装置の陽極１２ａ及び陰極１２ｂ間に直流電源１３によって直流電圧が印加されると、電解処理される。このとき、金属イオンに代表される陽イオンは陰極側に引き寄せられるため、陽極近傍には、水供給源から供給された水よりも金属イオン濃度が低減された陽極電解水が生成される。また、電解処理により、陽極では下式のような反応が生じるため、陽極電解水のプロトン濃度が上昇する。
【００３３】
（陽極における反応式）：２Ｈ２Ｏ → Ｏ２ ＋ ４Ｈ＋ ＋ ４ｅ−
上記性質をもつ陽極電解水が燃料電池水循環系２に供給されることにより、水供給源７からの水を直接燃料電池水循環系２に供給した場合よりも、燃料電池水循環系２の金属イオン濃度が低減される。
【００３４】
さらに、燃料電池が金属イオンで汚染された場合には、プロトン濃度が高い陽極電解水が供給されるので、燃料電池の電極を構成するイオン交換基に存在する金属イオンがプロトンで再置換され、金属イオンが除去される。
【００３５】
このように本実施形態によれば、燃料電池水循環系統に配置したイオン交換器５に供給される水の金属イオン濃度が低減されるので、イオン交換樹脂の寿命が改善される。したがって、イオン交換樹脂の交換に伴うメンテナンス費用を低減することが可能となると共に、金属イオンによる汚染に起因する燃料電池の性能低下を防止することができる。
【００３６】
さらに、燃料電池が金属イオンで汚染された場合には、燃料電池にプロトン濃度が高い陽極電解水が供給されるので、触媒層や電解質膜に含有されるプロトン交換基上の金属イオンがプロトンで再置換がなされ、燃料電池を汚染していた金属イオンが取り除かれる。したがって、燃料電池の性能が回復し、燃料電池の性能の低下を抑制することができる。
【００３７】
上記第１の実施形態では、水供給源７より電解水装置１２に水を供給し、電解処理された陽極電解水を燃料電池水循環系２に供給するようにしたが、図２に示すように水タンク３の出口側に電解処理された陽極電解水が燃料電池水循環系２に供給されるように電解水装置１２を配置する構成としても、上記実施形態と同様の作用効果が得られる。
【００３８】
また、水補給のタイミングが短い場合には、図３に示すように燃料電池水循環系２からイオン交換器５を省略した構成としても、上記実施形態と同様の作用効果が得られる。
【００３９】
図４は、本発明による燃料電池発電システムの第２の実施形態を示す構成図で、図１と同一部品には同一符号を付してその説明を省略し、ここでは異なる部分について述べる。
【００４０】
第２の実施形態では、燃料電池水循環系２に配置されたイオン交換器５の下流に切換バルブ１４ａ及びイオン交換器排水口１４ｂを設ける構成としたもので、他の構成は図１と同様である。
【００４１】
次に上記のように構成された燃料電池発電システムの作用を述べる。
【００４２】
水供給源７から水が電解水装置１２に供給されると、この水は電解処理されて金属イオン濃度が低く、且つプロトン濃度が高い陽極電解水が生成される。この陽極電解水は、陽極電解水供給配管１０ａを経由して水タンク３に一旦貯えられた後、イオン交換器５に供給される。したがって、プロトン濃度が高い陽極電解水がイオン交換器５に給水されることにより、イオン交換樹脂に含まれる金属イオンがプロトンで再生されると共に、再生に伴って生じた金属イオンを含む水は、切換バルブ１４ａをイオン交換器排出口１４ｂ側に切換えることで排出される。
【００４３】
このように本実施形態によれば、システムからイオン交換器５を取り出すことなく、イオン交換樹脂の再生を行うことができる。したがって、イオン交換樹脂の交換に伴うメンテナンス費用を低減することが可能となると共に、金属イオンによる汚染に起因する燃料電池の性能低下を防止することができる。
【００４４】
図５は、本発明による燃料電池発電システムの第３の実施形態を示す構成図で、図１と同一部品には同一符号を付してその説明を省略し、ここでは異なる部分について述べる。
【００４５】
第３の実施形態では、電解水装置１２の陽極１２ａ及び陰極１２ｂにそれぞれ陽極電解水供給配管１０ａ及び陰極電解水供給配管１０ｂを接続し、陽極電解水供給配管１０ａを陽極電解水供給バルブ１１を介して水タンク３に接続し、また陰極電解水供給配管１０ｂを飲料水利用口１６に接続する構成として上水供給源１５より上水を供給するようにしたもので、他の構成は図１と同様である。
【００４６】
次に上記のように構成された燃料電池発電システムの作用を述べる。
【００４７】
上水供給源１５から供給された上水は、電解水装置１２の陽極１２ａ及び陰極１２ｂ間に直流電源１３の直流電圧が印加されることで、電解処理される。このとき、上水に含まれるミネラル分を主とする金属イオンは陰極側に引き寄せられ、陰極で生成した陰極電解水は、陰極電解水供給配管１０ｂから飲料水利用口１６を介してミネラル分を多く含む飲料水として利用される。
【００４８】
一方、電解水装置１２の陽極では、上水供給源から供給される上水よりも金属イオン濃度が低減され、且つプロトン濃度が上昇した陽極電解水が生成され、燃料電池水循環系２に配置されたイオン交換器５に前述同様に供給される。
【００４９】
本実施形態によれば、第１の実施形態と同様に燃料電池水循環系２に配置したイオン交換器５に供給される水の金属イオン濃度が低減されるため、イオン交換樹脂の交換に伴うメンテナンス費用を低減することが可能になると共に、金属イオンによる汚染に起因する燃料電池の性能低下を防止することができる。
【００５０】
また、燃料電池が金属イオンで汚染された場合には、燃料電池にプロトン濃度が高い陽極電解水が供給されるので、触媒層や電解質膜に含有されるプロトン交換基上の金属イオンがプロトンで再置換がなされ、燃料電池を汚染していた金属イオンが取り除かれる。したがって、燃料電池の性能が回復し、燃料電池の性能の低下を抑制することができる。
【００５１】
さらに、本実施形態の燃料電池発電システムによれば、上水から陰極電解水を製造し、飲料水として利用すると同時に副生される陽極電解水を燃料電池供給水として利用できるので、水補給に伴う水道代を節約できるという効果も得られる。
【００５２】
図６は、本発明による燃料電池発電システムの第４の実施形態を示す構成図で、図５と同一部品には同一符号を付してその説明を省略し、ここでは異なる部分について述べる。
【００５３】
第４の実施形態では、上水配管１５ａに飲料水浄水用の逆浸透膜器１７を設け、この逆浸透膜器１７を通過した上水を電解水装置１２へ供給する構成としたもので、他の構成は図５と同様である。
【００５４】
次に上記のように構成された燃料電池発電システムの作用を述べる。
【００５５】
上水供給源１５より供給される上水は、逆浸透膜器１７によって上水中の重金属や塩素化合物が除去されるので、電解水装置１２で電解処理された陰極電解水中の重金属イオンや陽極電解水中の塩化物イオン濃度が低下する。すなわち、飲料水系統に供給される重金属イオンが低減されると共に、燃料電池水供給系２に配置したイオン交換器５に供給される塩化物イオンの濃度が低減される。
【００５６】
本実施形態によれば、上水から陰極電解水を製造し、飲料水として利用する際に、人体に悪影響のある重金属イオンが逆浸透膜器１７によって除去されると共に、副生される陽極電解水中の金属イオン及び塩化物イオン濃度が低減されるため、燃料電池水循環系水２の金属イオンや塩化物イオンの濃度が低減される。したがって、イオン交換樹脂の交換に伴うメンテナンス費用を低減することが可能となると共に、金属イオンによる汚染に起因する燃料電池の性能低下を防止することができる。
【００５７】
さらに、本実施形態では、飲料水系統の重金属低減を目的に逆浸透膜を利用しているため、新たなコスト発生は伴わないという効果がある。
【００５８】
次に本発明の第４の実施形態である燃料電池発電システムの最良の運転方法について説明する。
【００５９】
燃料電池発電システムを設置する環境の水質を基に予め設定したタイミングで陽極電解水供給バルブ１１を開き、燃料電池水循環系２に陽極電解水を供給した。ここで、陽極電解水の供給と同期させて陰極電解水が陰極電解水タンク１８へ供給され、その後、電解水装置１２に上水配管を経由して上水が供給されるような運転を実施した。
【００６０】
このように予め設定したタイミングで燃料電池水供給系２に金属イオン濃度の低い陽極電解水が補給させる運転を実施することにより、燃料電池水循環系２は常時許容値以下の伝導度に維持される。
【００６１】
本実施形態によれば、定期的に金属イオン濃度の低い陽極電解水が補給されるので、イオン交換器５に供給される金属イオン量が減少する。したがって、イオン交換樹脂の交換に伴うメンテナンス費用を低減することが可能となると共に、金属イオンによる汚染に起因する燃料電池の性能低下を防止することができる。
【００６２】
図７は、本発明による燃料電池発電システムの第５の実施形態を示す構成図で、図６と同一部品には同一符号を付してその説明を省略し、ここでは異なる部分について述べる。
【００６３】
第５の実施形態では、電解水装置１２の陽極１２ａを陽極電解水供給配管１０ａにより水タンク３に直接接続し、陰極電解水供給配管１０ｂを飲料水利用バルブ１９を介して飲料水利用口１６に接続する構成としたもので、その他の構成は図６の構成と同様である。
【００６４】
次に上記のように構成された燃料電池発電システムの作用を述べる。
【００６５】
飲料水利用の要求によって、飲料水利用バルブ１９が開かれると、飲料水利用配管１０ｂに陰極電解水が供給される。また、それと同期して陽極電解水が陽極電解水供給配管１０ａを経由して水タンク３に補給され、燃料電池水循環系２に供給される。その後、電解水装置１２に上水配管を経由して上水が供給される。
【００６６】
また、飲料水の利用のタイミングで燃料電池水循環系２に金属イオン濃度が低減された陽極電解水が供給されるので、燃料電池循環水系２には飲料水の需要の高い、外気温の高い時期には特に多く補給される。
【００６７】
このように飲料水の需要の高い時期には、外気温や上水の温度が高い。したがって、熱交換器６に供給した排出ガスを外気や上水との熱交換によって、排出ガス中の水分の回収を行う燃料電池発電システムにおいては、熱交換器６の能力を増強したり、頻繁に水を補給したりする必要がある。
【００６８】
しかし、本実施形態の燃料電池発電システムでは、前記第４の実施形態で説明した水質維持効果や水補給に伴うコスト低減効果の他に、熱交換器の能力を低減してコンパクト化が実現できる。また、燃料電池水循環系に陽極電解水を供給する際に複雑な制御を用いていないため、システム制御の簡素化につながるという効果も得られる。
【００６９】
図８は本発明による燃料電池発電システムの第６の実施形態を示す構成図であり、図７と同一部品には同一符号を付してその説明を省略し、ここでは異なる部分について述べる。
【００７０】
図８において、実線は水配管を、破線は電気配線をそれぞれ示している。
【００７１】
第６の実施形態では、直流電圧源として、燃料電池の起電力をＤＣ／ＤＣコンバータ２０で調整したものを用いる構成としたものである。
【００７２】
上記構成の燃料電池発電システムにおいて、燃料電池による出力に余剰があるときに、電解水を製造するという運転を実施した。
【００７３】
このような運転を実施すれば、燃料電池から出力された直流電力はＤＣ／ＤＣコンバータ２０で所定の直流電圧に調整され、直接電解水装置１２の電解処理に用いられる。したがって、直流・交流間の変換効率に起因するエネルギーロスを除去することができる。また、電力余剰時に電解処理することによって、燃料電池の出力の変動が低減される。
【００７４】
本実施形態によれば、直流・交流間の変換を伴わないため、電解処理時の消費電力の低減が可能である。また、燃料電池の出力変動幅が低減されるので、システム制御の簡素化を図ることができる。
【図面の簡単な説明】
【００７５】
【図１】本発明による燃料電池発電システムの第１の実施形態を示す構成図。
【図２】同実施形態の第１の変形例を示す構成図。
【図３】同じく第２の変形例を示す構成図。
【図４】本発明による燃料電池発電システムの第２の実施形態を示す構成図。
【図５】本発明による燃料電池発電システムの第３の実施形態を示す構成図。
【図６】本発明による燃料電池発電システムの第４の実施形態を示す構成図。
【図７】本発明による燃料電池発電システムの第５の実施形態を示す構成図。
【図８】本発明による燃料電池発電システムの第６の実施形態を示す構成図。
【図９】従来の燃料電池発電システムの一例を示す構成図。
【符号の説明】
【００７６】
１：燃料電池スタック、２：燃料電池水循環系、３：水タンク、４：水ポンプ、５：イオン交換器、６：熱交換器、７：水供給源、８：水供給バルブ、９：オートドレン、１０ａ：陽極電解水供給配管、１０ｂ：陰極電解水供給配管、１１：陽極電解水供給バルブ、１２：電解水装置、１２ａ：電解水装置陽極、１２ｂ：電解水装置陰極、１３：直流電圧源、１４ａ： 切換バルブ、１４ｂ：イオン交換器排水口、１５：上水供給源、１５ａ：上水配管、１６：飲料水利用系、１７：逆浸透膜器、１８：陰極電解水タンク、１９：飲料水利用バルブ、２０：ＤＣ／ＤＣコンバーター
【図１】
0004713079.tif 000002
【図２】
0004713079.tif 000003
【図３】
0004713079.tif 000004
【図４】
0004713079.tif 000005
【図５】
0004713079.tif 000006
【図６】
0004713079.tif 000007
【図７】
0004713079.tif 000008
【図８】
0004713079.tif 000009
【図９】
0004713079.tif 000010